(57)【要約】本発明は、身体に装着するとともに複数の電気素子からなる多機能アセンブリを具備したカメラ支持装置に関するものである。本発明による装置は、動作モードスイッチングデバイス（５，５ａ，５ｂ，５ｃ）を使用することによって、複数の接続デバイスおよび複数の信号ラインの動作モードを、第１モードと第２モードとの間にわたって切り換えることを特徴としている。第１モードにおいては、複数の信号ラインを使用することによって、第１タイプをなすビデオ信号を伝達する。第２モードにおいては、複数の信号ラインの一部だけを使用することによって、第２タイプをなすビデオ信号を伝達するとともに、残りの信号ラインを、他の目的のために使用する。
2005503082.tif 000002
【特許請求の範囲】
【請求項１】
身体に装着するとともに複数の電気素子からなる多機能アセンブリを具備したカメラ支持装置であって、
−ケーブルを介してカメラ（２）からのビデオ信号を供給するための少なくとも１つの第１接続デバイス（１）と；
−ケーブルを介して例えばモニタやビデオ記録デバイスやおよび／またはビデオ信号伝達デバイスといったような周辺機器に対してビデオ信号を供給するための少なくとも１つの第２接続デバイス（４）と；
−前記接続デバイスどうしの間にわたっての前記ビデオ信号の伝達を行うための複数の信号ライン（Ｒ，Ｇ，Ｂ）と；
−前記接続デバイス（１，４）および前記信号ライン（Ｒ，Ｇ，Ｂ）の動作モードを切り換えるための少なくとも１つの動作モードスイッチングデバイス（５，５ａ，５ｂ，５ｃ）と；
を具備してなり、
−第１動作モードにおいては、第１タイプをなすビデオ信号（ＨＤＴＶ）の伝達に際して、複数の信号ラインを使用することができ、
−第２動作モードにおいては、第２タイプをなすビデオ信号の伝達に際して、前記複数の信号ラインのうちの一部を使用するとともに、前記複数の信号ラインのうちの残部については、他の目的に使用可能とされていることを特徴とするカメラ支持装置。
【請求項２】
請求項１記載のカメラ支持装置において、
前記第１動作モードにおいては、前記複数の信号ライン（Ｒ，Ｇ，Ｂ）が、前記第１接続デバイス（１）と前記第２接続デバイス（４）との間にわたっての直接的接続を確立していることを特徴とするカメラ支持装置。
【請求項３】
請求項１または２記載のカメラ支持装置において、
ケーブルを介して周辺機器に対してビデオ信号を供給するための第３接続デバイス（７）が設けられ、
この第３接続デバイス（７）に対しては、前記第２動作モードの際に、前記複数の信号ラインの中の１つの信号ライン（Ｒ）からのビデオ信号が供給されるとともに、この第３接続デバイス（７）からは、前記周辺機器からのビデオ信号が、前記第２接続デバイス（４）に対して供給されることを特徴とするカメラ支持装置。
【請求項４】
請求項１または２記載のカメラ支持装置において、
前記第２動作モードにおいては、
−前記複数の信号ラインの中の１つの信号ライン（Ｒ）からのビデオ信号が、ビデオ増幅器／マルチプレクサデバイス（６）の入力ポートに対して供給され、
−前記ビデオ増幅器／マルチプレクサデバイス（６）の第１出力ポートからのビデオ信号が、前記第２接続デバイス（４）に対して供給され、
−前記ビデオ増幅器／マルチプレクサデバイス（６）の第２出力ポートからのビデオ信号が、ケーブルを介して周辺機器に対してビデオ信号を供給するための第４接続デバイス（９）に対して、供給されることを特徴とするカメラ支持装置。
【請求項５】
請求項４記載のカメラ支持装置において、
前記ビデオ増幅器／マルチプレクサデバイス（６）の前記第１出力ポートからのビデオ信号が、前記第３接続デバイス（７）に対して供給され、
この第３接続デバイス（７）からのビデオ信号が、前記第２接続デバイス（４）に対して供給されることを特徴とするカメラ支持装置。
【請求項６】
請求項４または５記載のカメラ支持装置において、
前記第２動作モードにおいては、前記ビデオ増幅器／マルチプレクサデバイス（６）の第３出力ポートからのビデオ信号が、前記複数の信号ラインの中の前記残部をなす１つの信号ライン（Ｂ）を介して、前記第１接続デバイス（１）に対して供給されることを特徴とするカメラ支持装置。
【請求項７】
請求項１〜６のいずれか１項に記載のカメラ支持装置において、
前記複数の信号ラインの中の少なくとも１つの信号ライン（Ｇ）が、前記第１接続デバイス（１）と前記第２接続デバイス（４）との間において連続的に延在していることを特徴とするカメラ支持装置。
【請求項８】
請求項１〜７のいずれか１項に記載のカメラ支持装置において、
さらに、前記カメラに対しておよび／または前記周辺機器に対して電力を供給／給電するための接続デバイス（１０，１１，１２）を具備していることを特徴とするカメラ支持装置。
【請求項９】
請求項１〜８のいずれか１項に記載のカメラ支持装置において、
少なくとも１つの接続デバイス（９，９’）が、二重のものとして設けられていることを特徴とするカメラ支持装置。
【請求項１０】
請求項１〜９のいずれか１項に記載のカメラ支持装置において、
少なくとも２つの接続デバイス（７，９，９’，１０，１１，１２）が、少なくとも１つの付加的信号ラインに対して接続され、
これにより、前記少なくとも２つの接続デバイスの一方に対しては、ケーブルを介してセンサデバイス（１４）を接続することができるとともに、前記少なくとも２つの接続デバイスの他方に対しては、ケーブルを介して信号伝達デバイス（１６）を接続することができることを特徴とするカメラ支持装置。
【請求項１１】
身体に装着するカメラ支持装置であって、
カメラに対して接続するための、あるいは、例えばモニタやビデオ記録デバイスやおよび／またはビデオ信号伝達デバイスといったような周辺機器に対して接続するための、あるいは、前記カメラに対しておよび／または前記周辺機器に対して電力を供給／給電するための、少なくとも２つの接続デバイス（７，９，９’，１０，１１，１２）と；
前記少なくとも２つの接続デバイスの一方に対しては、ケーブルを介してセンサデバイス（１４）を接続し得るよう、なおかつ、前記少なくとも２つの接続デバイスの他方に対しては、ケーブルを介して信号伝達デバイス（１６）を接続し得るよう、付加的な信号ラインと；
を具備していることを特徴とするカメラ支持装置。
【請求項１２】
請求項１０または１１記載のカメラ支持装置において、
前記付加的信号ラインには、前記センサデバイス（１４）からの信号を評価するための評価デバイス（１５）が設けられ、
この評価デバイス（１５）が、前記信号伝達デバイス（１６）に対して制御信号を供給することを特徴とするカメラ支持装置。
【発明の詳細な説明】
【技術分野】
【０００１】
本発明は、身体に装着するとともに複数の電気素子からなる多機能アセンブリを具備したカメラ支持装置に関するものである。
【背景技術】
【０００２】
身体に装着するタイプのカメラ支持装置は、既に公知であり、例えば、欧州特許出願公開第０ ３１６ ３７０号明細書に開示されている。このカメラ支持装置は、カメラと周辺機器と電源として必要なバッテリとを、カメラ操作者が付帯することを可能とし、さらに、それらをカメラ操作者の移動とは個別的に安定的に保持することを可能とする。カメラや周辺機器や電源に対する接続のために、通常は、多数のコネクタやケーブルが設けられていて、カメラ操作者の作業を邪魔しないようにして、必要な接続を確立している。
【０００３】
公知のカメラ支持装置においては、一般に、１つのアナログビデオ信号と電力とだけしか、カメラ支持装置内にあるいはカメラ支持装置上に設けられたケーブルを介して、伝送することができない。また、周辺機器の数も、ケーブルの複雑化の観点から、制限されている。
【０００４】
その結果、公知のカメラ支持装置においては、融通性が乏しい。
【特許文献１】
欧州特許出願公開第０ ３１６ ３７０号明細書
【発明の開示】
【課題を解決するための手段】
【０００５】
上記背景に鑑み、本発明は、身体に装着するとともに複数の電気素子からなる多機能アセンブリを具備したカメラ支持装置であって、特に、ケーブルを介してカメラからのビデオ信号を供給するための少なくとも１つの第１接続デバイスと；ケーブルを介して例えばモニタやビデオ記録デバイスやおよび／またはビデオ信号伝達デバイスといったような周辺機器に対してビデオ信号を供給するための少なくとも１つの第２接続デバイスと；接続デバイスどうしの間にわたってのビデオ信号の伝達を行うための複数の信号ラインと；接続デバイスおよび信号ラインの動作モードを切り換えるための少なくとも１つの動作モードスイッチングデバイスと；を具備してなり、第１動作モードにおいては、例えば高精細度ビデオ信号（ＨＤＴＶ）といったような第１タイプをなすビデオ信号の伝達に際して、複数の信号ラインを使用することができ、第２動作モードにおいては、例えば低精細度ビデオ信号（アナログ）やデジタルビデオ信号（ＳＤＩ）といったような第２タイプをなすビデオ信号の伝達に際して、複数の信号ラインのうちの一部を使用するとともに、複数の信号ラインのうちの残部については、他の目的に使用可能とされている。
【０００６】
複数の電気素子からなるアセンブリのこのような構成は、また、本発明によるカメラ支持装置がアナログカメラやデジタルカメラと一緒に使用されている場合であってさえも、高精細度ビデオ信号のために必要とされた複数の信号ラインを、有効に使用することを可能とする。
【０００７】
このことは、高精細度カメラとアナログカメラとデジタルカメラとのすべてを、本発明によるカメラ支持装置において、同一のケーブル構成および現存の接続ポートを利用して使用可能であることを、意味している。コネクタは、相応に構成されており、必要な数の信号ラインが存在している。ある種のビデオ信号の伝達に際していくつかの信号ラインが不要とされた場合、本発明においては、そのような余った信号ラインを、他の目的のために使用することができ、その目的に応じた態様で使用することができる。このことは、本発明によるカメラ支持装置が、公知のシステムよりも融通性に富んでいて、複雑さを増大させることがないことまたある種の用途においては不要とされるような冗長さをもたらすことないこと、を意味している。
【０００８】
加えて、本発明に基づく、身体に装着するカメラ支持装置においては、少なくとも２つの接続デバイスが、少なくとも１つの付加的信号ラインに対して接続されており、これにより、少なくとも２つの接続デバイスの一方に対しては、ケーブルを介してセンサデバイスを接続することができるとともに、少なくとも２つの接続デバイスの他方に対しては、ケーブルを介して信号伝達デバイスを接続することができるようになっている。この場合、このような接続は、接続デバイスを介して使用し得るようにして、なおかつ、他の目的のために使用されている接続デバイスの機能を妨害しないようにして、信号ラインを介して確立されている。
【０００９】
この構成のこの利点は、接続デバイスを使用しない場合に、その接続デバイスを、主要機能とは異なる他の用途のために使用し得ることである。例えば、カメラ内の計数ライトの照明を出力信号が表すような計数センサからの信号を、また、例えば計数ＬＥＤといったような計数信号伝達デバイスのための制御信号を、付加的な信号ラインのための付加的な接続によって補助されつつ現存の接続ポート間にわたって伝達することができる。当然のことながら、一般論として、このような接続は、接続ポートが主機能以外に使用することを意図されている場合に限ってである。
【発明を実施するための最良の形態】
【００１０】
本発明につき、添付図面を参照しつつ、実施形態による例示を通して、以下においてさらに詳細に説明する。
【００１１】
図１は、身体に装着するタイプのカメラ支持装置の構成を示しており、本発明においては、様々な電気素子からなる多機能アセンブリを、設けることができる。ホルダ（２１）に対しては、例えば、カメラ（２２）と、モニタ（２３）と、バッテリ（２４，２５）と、が取り付けられている。保持チューブ（ホルダ）は、付帯構造（２６）に対して連結されている。付帯構造（２６）は、カメラ使用者がカメラ支持装置を身体上に装着することを可能とするものである。保持チューブ（ホルダ）（２１）には、さらに、複数の接続ポート（３１〜３８）が付設されている接続ケーシング（２７，２８）が、設置されている。これら接続ポートは、カメラやモニタからの電気（ビデオ）接続ケーブル（３９，４０）やあるいはバッテリからの電力供給ケーブル（４１，４２）に対する接続可能性を提供する。例えばビデオ記録機器やビデオ信号用伝送機器やそれらに関連した接続ケーブルといったようなさらなる周辺機器を、接続ポートに対して、さらに接続することができる。信号供給ラインおよび電力供給ラインは、大部分が保持チューブ（２１）の内部に収容されつつ、複数のポート（３１〜３８）間にわたって延在している。加えて、保持チューブ（２１）内にはおよび／または接続ケーシング（２７，２８）内には、複数の電気素子を収容することができる。これらが協働することによって、詳細に後述するような、複数の電気素子からなるアセンブリが形成される。
【００１２】
図２は、本発明による身体に装着するタイプのカメラ支持装置における、複数の電気素子からなるアセンブリを示している。
【００１３】
本発明においては、第１接続デバイス（１）が、カメラ（２）からのビデオ信号のケーブル伝送のために、設けられている。適切な接続ケーブル（３）を使用することによってカメラ（２）から第１接続デバイス（１）へと供給されるビデオ信号は、高精細度ビデオ信号とすることも、また、低精細度（アナログ）信号とすることも、できる。高精細度ビデオ信号（ＨＤＴＶ）に関しては、従来より、３本の信号ラインが必要とされる。他方、低精細度（アナログ）信号に関しては、従来より、ただ１本の信号ラインが使用される。加えて、例えばデジタルビデオ信号（ＳＤＩ）といったような他のビデオ信号は、１本かあるいは複数本のビデオ信号ラインを介して供給することができる。そのようなビデオ信号ラインは、カメラ（２）から第１接続デバイス（１）へと接続ケーブル（３）を介して供給される。
【００１４】
また、図２には、第２接続デバイス（４）が図示されている。この第２接続デバイス（４）は、周辺機器へとビデオ信号をケーブル伝送するためのものである。周辺機器に対して供給されるビデオ信号は、この場合にも、高精細度ビデオ信号とすることも、また、低精細度（アナログ）信号とすることも、また、デジタルビデオ信号とすることも、できる。それぞれの場合において、相応する数の信号ラインが必要とされる。周辺機器は、例えば、モニタや、ビデオ記録デバイスや、ビデオ信号伝送デバイス、とされる。
【００１５】
図２からわかるように、複数の信号ライン（Ｒ，Ｇ，Ｂ）が、接続デバイス（１，４）間にわたってのビデオ信号の伝達のために、設けられている。時に、ビデオ信号は、第１接続デバイス（１）から第２接続デバイス（４）へと、連続した信号ラインを介して伝達される。この様子は、例えば、信号ライン（Ｇ）に関して図示されている通りである。あるいは、時に、ビデオ信号は、第１接続デバイス（１）から第２接続デバイス（４）へと、信号ラインの複数の分割部分を介して伝達される。この様子は、信号ライン（Ｒ，Ｂ）に関して図示されている通りである。
【００１６】
本発明においては、さらに、動作モードスイッチングデバイス（５）が設けられており、この動作モードスイッチングデバイス（５）は、本発明によるカメラ支持装置内の複数の電気素子からなるアセンブリを、２つの動作モードの間にわたってスイッチングする。スイッチングデバイス（５）の切換位置が図示の位置とされた場合の第１動作モードにおいては、複数の信号ライン（Ｒ，Ｇ，Ｂ）を使用することによって、高精細度ビデオ信号（ＨＤＴＶ）を伝送することができる。このことは、カメラ（２）からのビデオ信号（ビデオＲ）が、信号ライン（Ｒ）を介して伝達されること、すなわち、第１スイッチングユニット（５ａ）および第２スイッチングユニット（５ｂ）を介することによって第２接続デバイス（４）へと伝達されることを、意味している。カメラ（２）からのビデオ信号（ビデオＢ）は、信号ライン（Ｂ）を介して伝達される、すなわち、スイッチングユニット（５ｃ）を介することによって第２接続デバイス（４）へと伝達される。上述したように、信号ライン（Ｇ）は、第１接続デバイス（１）と第２接続デバイス（４）との間にわたって、直接的な接続が確立されている。そのため、カメラ（２）からのビデオ信号（ビデオＧ）の伝達は、保証されている。このことは、第１動作モードにおいては、高精細度ビデオカメラ（２）からのすべてのビデオ信号（ビデオＲ，ビデオＧ，ビデオＢ）が、第１接続デバイス（１）から第２接続デバイス（４）へと伝達されることを、意味している。
【００１７】
動作モードスイッチングデバイス（５）が、図２に示すような第１切換位置から、図２には図示されていないものの図２から理解可能であるような第２切換設定へと、スイッチングされたときには、本発明によるカメラ支持装置内の複数の電気素子からなるアセンブリを使用して、低精細度（アナログ）ビデオ信号やデジタルビデオ信号や他のビデオ信号や他の信号を、伝送することができる。カメラ（２）からの低精細度（アナログ）ビデオ信号は、第１接続デバイス（１）を介して信号ライン（Ｒ）へと供給され、詳細に後述するような第１スイッチングユニット（５ａ）や他の素子を介して、第２接続デバイス（４）へと伝達される。しかしながら、そのビデオ信号は、まず最初に、第１スイッチングユニット（５ａ）から、ビデオ増幅器／マルチプレクサ（６）へと、供給される。ビデオ増幅器／マルチプレクサ（６）は、供給されたビデオ信号を増幅するとともに、複数の出力ポートへと分配する。ビデオ増幅器／マルチプレクサ（６）の第１出力ポートからのビデオ信号は、周辺機器に対して複数のビデオ信号を供給するための第３接続デバイス（７）へと、供給される。周辺機器からのビデオ信号は、第３接続デバイス（７）から、第２スイッチングユニット（５ｂ）を介して、第２接続デバイス（４）へと、供給することができる。第３接続デバイス（７）に対して周辺機器が接続されていない場合には、ビデオ増幅器／マルチプレクサ（６）の第１出力ポートからのビデオ信号は、ブリッジ（８）を介して、さらに第２スイッチングユニット（５ｂ）を介して、第２接続デバイス（４）へと、伝達される。しかしながら、ブリッジ（８）に代えて、ビデオ増幅器／マルチプレクサ（６）の第１出力ポートから供給されたビデオ信号を第３接続デバイス（７）内において処理／変更するための任意の周辺機器を接続することができ、これにより、周辺機器によって変更／処理されたビデオ信号を、第３接続デバイス（７）から、第２スイッチングユニット（５ｂ）を介して、第２接続デバイス（４）へと、伝達することができる。
【００１８】
ビデオ増幅器／マルチプレクサ（６）の第２出力ポートからのビデオ信号は、ケーブルを介して周辺機器に対してビデオ信号を供給するための第４接続デバイス（９）へと、供給される。このようにして、第２および第３接続デバイスに対して接続されている周辺機器の他にも、さらなる周辺機器を、本発明によるカメラ支持装置内の複数の電気素子からなるアセンブリに対して、接続することができる。ビデオ増幅器／マルチプレクサ（６）からの出力ポートの数に応じて、周辺機器のための付加的な接続デバイスを、設けることができる。
【００１９】
本発明においては、第２動作モードにおける信号ライン（Ｂ）を使用することにより、ビデオ増幅器／マルチプレクサ（６）の第３出力ポートからのビデオ信号を、第３スイッチングユニット（５ｃ）を介して、第１接続デバイス（１）へと、伝達することができる。
【００２０】
カメラおよび／または周辺機器に対して電力を供給するために、本発明による複数の電気素子からなるアセンブリは、好ましくは、さらに、接続デバイス（１０，１１，１２）を具備している。これら接続デバイス（１０，１１，１２）は、電力供給ユニット（１３）に対して接続されている。電力供給ユニット（１３）は、１つまたは複数の再充電可能なバッテリを備えている。これにより、カメラおよび周辺機器の電源に対しての接続が行われる。図２に示すように、他の接続デバイスによって、同一の動作電圧を供給することができる。あるいは、カメラや周辺機器に対して、互いに異なる動作電圧を供給することができる。
【００２１】
他の実施形態においては、少なくとも１つの接続デバイスにおいて、付加的な信号ラインが設けられる。この付加的信号ラインは、接続デバイスの標準的機能に加えて、この機能を妨害することなく、センサデバイス（１４）をもたらす。図２においては、センサデバイス（１４）は、例示として、第４接続デバイス（９）と他の接続デバイス（１１）との双方に接続されるものとして図示されている。図２に示す実施形態における例示においては、センサデバイス（１４）からの信号は、信号ラインを経由して、評価デバイス（１５）へと伝達される。評価デバイス（１５）は、他の信号ラインを介して、接続デバイス（７，１２）に対して接続されている。この場合においても、評価デバイス（１５）からの信号の提供は、接続デバイス（７，１２）の標準機能に対して、付加的なものである。信号伝達デバイス（１６）を、１つの接続デバイスに対して接続することができる。図２においては、接続デバイス（１２）に対して接続するものとして例示されている。
【００２２】
このように、本発明によるカメラ支持装置内の複数の電気素子からなるアセンブリを使用すれば、カメラ内の信号計数ライトの状態を、センサ（１４）によって決定することができ、付加的な信号ラインを経由して、信号伝達デバイス（１６）へと伝達することができる。このようにして、通常はカメラ操作者が見ることができないのが大部分であるような信号計数ディスプレイの照明状態が、他の信号伝達デバイスへと伝達され、カメラ支持装置内においてカメラ操作者から見えやすい位置に、表示することができる。
【００２３】
センサデバイスが適切に構成されている場合には、評価デバイス（１５）を省略することができる。これにより、接続デバイスどうしの間においては、単一の付加的な信号ラインを設けるだけでよく、センサと信号伝達デバイスとの間の接続を容易なものとすることができる。
【００２４】
本発明においては、好ましくは、個々の接続デバイスの少なくとも１つは、２重として設けられている。この場合、１つの接続機能に関して、２つの接続ポートが設けられている。図２においては、この実施形態は、第４接続デバイス（９）に関して例示されている。すなわち、第５接続デバイス（９’）が設けられている。例えば図１に示す接続ボックス（２７，２８）内において二重接続ポートを空間的に適切に構成することにより、短いケーブルを使用して、一方の接続ポート上において主機能に関する接続を確立することができすなわち周辺機器に対しての接続を行うことができ、なおかつ、他方の接続ポートを、補助機能に関する接続のために使用することができる。
【図面の簡単な説明】
【００２５】
【図１】身体に装着するタイプのカメラ支持装置の基本構成を示す斜視図である。
【図２】本発明によるカメラ支持装置内における、複数の電気素子からなるアセンブリを示す図である。
【符号の説明】
【００２６】
１    第１接続デバイス
２    カメラ
４    第２接続デバイス
５    動作モードスイッチングデバイス
５ａ  第１スイッチングユニット（動作モードスイッチングデバイス）
５ｂ  第２スイッチングユニット（動作モードスイッチングデバイス）
５ｃ  スイッチングユニット（動作モードスイッチングデバイス）
６    ビデオ増幅器／マルチプレクサデバイス
７    第３接続デバイス
９    第４接続デバイス
９’  第５接続デバイス
１０    接続デバイス
１１    接続デバイス
１２    接続デバイス
１４    センサデバイス
１６    信号伝達デバイス
Ｒ    信号ライン
Ｇ    信号ライン
Ｂ    信号ライン
【図２】
2005503082.tif 000003
【国際公開パンフレット】
2005503082.tif 000004
2005503082.tif 000005
2005503082.tif 000006
2005503082.tif 000007
2005503082.tif 000008
2005503082.tif 000009
2005503082.tif 000010
2005503082.tif 000011
2005503082.tif 000012
2005503082.tif 000013
2005503082.tif 000014
2005503082.tif 000015
2005503082.tif 000016
2005503082.tif 000017
2005503082.tif 000018
2005503082.tif 000019
2005503082.tif 000020
2005503082.tif 000021
2005503082.tif 000022
2005503082.tif 000023
2005503082.tif 000024
2005503082.tif 000025
【国際調査報告】
2005503082.tif 000026
2005503082.tif 000027
2005503082.tif 000028
2005503082.tif 000029
2005503082.tif 000030
2005503082.tif 000031